(57)【要約】　　　（修正有）【課題】複写機、プリンタ、ファックス等の画像形成装置において、大量の用紙搬送を行うとモータやドライバが発熱加熱される。これを避けるため、駆動部の冷却装置の省コスト化、省スペース化を図った用紙搬送装置を提供する。【解決手段】駆動用モータ３０により回転体１３４〜１３９を回転させて用紙を搬送する用紙搬送装置において、前記回転体１３４〜１３９と一体に冷却ファン３６〜３８、４５，４６を設けたことを特徴とする。【選択図】　　　　図２
2004018198.tif 000002
【特許請求の範囲】
【請求項１】
駆動用モータにより回転体を回転させて用紙を搬送する用紙搬送装置において、前記回転体と一体に冷却ファンを設けたことを特徴とする用紙搬送装置。
【請求項２】
前記回転体の軸端部に前記冷却ファンを設けたことを特徴とする請求項１に記載の用紙搬送装置。
【請求項３】
前記回転体は用紙送り出しローラ及び／又は搬送ローラであることを特徴とする請求項１ないし２に記載の用紙搬送装置。
【請求項４】
駆動用モータにより回転体を回転させて用紙を搬送する用紙搬送装置において、前記駆動用モータとモータ取付けダンパとの間に放熱板を挟着したことを特徴とする用紙搬送装置。
【請求項５】
前記回転体と一体に冷却ファンを設けたことを特徴とする請求項４に記載の用紙搬送装置。
【発明の詳細な説明】
【０００１】
【発明の属する技術分野】
本発明は、複写機、プリンタ、ファックス等の画像形成装置の用紙搬送装置に関するものであり、より詳しくは用紙搬送の動力源である駆動用モータおよび付属電気部品の熱を発散させる機能を有する用紙搬送装置に関する。
【０００２】
【従来の技術】
複写機等の自動原稿送り装置や給紙皿からの用紙給送装置において、大量の原稿シートを原稿台に置いて、次々と読み取らせたり、給紙皿から連続して大量の用紙を送り出したりすると、用紙搬送用のモータを僅かな休止時間で長時間作動させることになる。
【０００３】
このようにモータを長時間作動させると、モータやモータを駆動するドライバが発熱して加熱され、やがて破損温度に達してしまう。これを避けるため、従来はモータやドライバを冷却する、大型の冷却ファンやペルチェ素子等が用いられてきた。
【０００４】
しかしながら、上記の如き大型の冷却ファンやペルチェ素子を設けると、取り付けスペースの増大になり、かつコスト高につながる。
【０００５】
本発明はかかる問題に鑑みてなされたものであり、高価な、大型の冷却ファンやペルチェ素子を設けることなく、モータやドライバの発熱を抑えることが可能となる。
【０００６】
【発明が解決しようとする課題】
省コスト化、省スペース化を図った発熱体の冷却手段を有する用紙搬送装置を提供することを目的とする。
【０００７】
【課題を解決するための手段】
上記目的は、以下の構成によって達成することができる。
【０００８】
（１）駆動用モータにより回転体を回転させて用紙を搬送する用紙搬送装置において、前記回転体と一体に冷却ファンを設けたことを特徴とする用紙搬送装置（第１の発明）。
【０００９】
（２）駆動用モータにより回転体を回転させて用紙を搬送する用紙搬送装置において、前記駆動用モータとモータ取付けダンパとの間に放熱板を挟着したことを特徴とする用紙搬送装置（第２の発明）。
【００１０】
【発明の実施の形態】
はじめに、用紙搬送装置について説明する。
【００１１】
本発明の実施の形態における説明では、本明細書に用いる用語により本発明の技術範囲が限定されることはない。
【００１２】
本実施の形態では、複写機に装備されている自動原稿送り装置の用紙搬送装置について説明する。
【００１３】
自動原稿送り装置は、原稿を一枚ずつ送り出し、原稿を画像読取位置へ搬送し、画像読取りが終わった原稿を所定の場所に排紙処理する装置である。
【００１４】
図１は自動原稿送り装置の概略構成断面図である。
図において、１は自動原稿送り装置の全体を示し、原稿を載置する原稿載置台１１、原稿載置台１１上に載置された原稿を分離する原稿分離手段１２、原稿分離手段１２で分離された原稿の搬送タイミングを規制して送り出すレジストローラ１７、レジストローラ１７で送り出された原稿を搬送する複数のローラを含む原稿搬送手段１３、原稿搬送手段１３で搬送された原稿を排紙する原稿排紙手段１４、原稿排紙手段１４によって排紙された原稿を載置する原稿排紙台１５、原稿の両面の画像を読み取る際に原稿の表裏を反転させるためのローラ対からなる原稿反転手段１６等を有している。
【００１５】
処理プロセスがらみで述べるに、片面の画像のみ読み取る際は、前記原稿載置台１１上に載置された複数枚の原稿（不図示）は、原稿分離手段１２によって１枚づつ分離され、レジストローラ１７で搬送のタイミングが取られて搬送され、実線で示されている振り分け弁１３１、１３２によって搬送路２０を通り、読み取り前の搬送ローラ１３４に挟持、搬送されて原稿読取位置２１に向けて搬送される。前記振り分け弁１３１、１３２は回動軸Ａ、Ｂを支点として実線、点線のように回動して原稿を搬送路２０または２３へと振り分ける。
【００１６】
前記原稿読取位置２１は、前記原稿搬送手段１３の下方部に設けられており、そこで、読み取りローラ１３６で支持された原稿がスリット２７で画像形成装置本体２側にある不図示のミラーを介してＣＣＤ（電荷結合素子、Ｃｈａｒｇｅ　Ｃｏｕｐｌｅｄ　Ｄｅｖｉｃｅの略）で読み取られるようになっている。
【００１７】
画像が読み取られた原稿は、読み取り後の搬送ローラ１３５に挟持、搬送され回動軸Ｃを支点として回動する振り分け弁１３３（実線）によって原稿排紙手段１４へ導かれ、原稿排紙台１５上へと排紙される。
【００１８】
一方、原稿の両面の画像を読み取る際には、前記原稿載置台１１から搬送された原稿は、レジストローラ１７で給送され、点線で示した状態の振り分け弁１３１、１３２によって搬送路２３へ導かれ、原稿の後端部が前記原稿反転手段１６のローラ（回転方向は実線）に挟持されたまま、原稿排紙台１５に排紙される。次に、前記ローラは点線方向に逆回転し原稿を搬送路２３に戻し実線の状態になった振り分け弁１３２によって搬送路２０に導かれ、原稿搬送手段１３の搬送ローラ１３４を経て、一方の面の画像読み込みがなされ、搬送路２２にて点線の状態の振り分け弁１３３を通り、原稿反転手段１６に挟持、搬送され、原稿排紙台１５に排紙される。ただし、この状態では原稿の後端部は前記原稿反転手段１６のローラに挟持されたままになって一時停止の状態にある。次に、原稿は前記原稿反転手段１６のローラの逆転によって送り出され搬送路２３、２０を通り、原稿搬送手段１３の搬送ローラ１３４を経て他方の面の画像読み込みがなされ、さらに、搬送ローラ１３５を経て、搬送路２２にて実線の状態になった振り分け弁１３３で振り分けられ、原稿排紙手段１４によって排紙皿１５に排紙される。
【００１９】
このような工程が原稿載置台１１上に載置された原稿の枚数分繰り返される。また、前記自動原稿送り装置１は可倒式に構成されており、この自動原稿送り装置１を起こしてプラテンガラス２５上を開放することにより、当該プラテンガラス２５上に原稿を直接載置し、複写することができるように構成してある。
【００２０】
読み込まれた画像情報は、適宜の画像処理を施された後、図示しないメモリに一旦蓄積されるようになっている。
【００２１】
次に、本発明について説明をする。
前述したように、原稿や転写紙等の用紙を搬送するのに、用紙搬送用の駆動源であるモータ等が使われているが、連続して大量に搬送を繰り返していると駆動用モータや付属の電機部品が発熱する。
【００２２】
本発明は、用紙搬送に係わる搬送系の動力を利用した冷却ファンや、簡単な放熱部材によって発熱体である駆動源を冷却することを特徴としている。
【００２３】
図２は自動原稿送り装置の駆動部を示す略図で、（ａ）は平面図を、（ｂ）は動力伝達側から見た図を示す。
【００２４】
本実施の形態における駆動用モータとは給紙、搬送モータを意味する。
図（ａ）において、３０は搬送モータで、３１、３２、３３、３４は搬送プーリであり、３５は搬送モータ３０からの動力を伝達する駆動ベルトである。３６、３７、３８は、回転体である搬送ローラ１３４、１３５、原稿排紙手段１４（図１参照）の排紙ローラ１３７と一体の冷却ファンであって、前記搬送モータ３０が稼働している間は当該冷却ファンは回転する。
【００２５】
４０は給紙モータ、４１、４２、４３は給紙プーリであり、４４は前記給紙モータ４０からの動力を伝達する駆動ベルトである。４５、４６は、回転体である分離ローラ１３８、レジストローラ１３９と一体の冷却ファンであって、前記給紙モータ４０が稼働している間は当該冷却ファンは回転する。
【００２６】
前記冷却ファンは上記各ローラの軸の端部にビス等で固定されている。当該ファンによる風はガイド３９、４９によって発熱体である搬送モータ３０、給紙モータ４０の方向に流れるようにしてある。
【００２７】
すなわち、冷却ファンが回転することによって発熱体であるモータに直接風があたるか、風の流れの中で発熱体が冷却されることになる。
【００２８】
本発明は、用紙送り出し（給紙）および搬送の回転体と一体に冷却ファンを設け、前記駆動用モータおよび付属の電気部品を冷却することから、従来のような、別途に冷却ファンや電源を設ける必要もなくなり、コスト低減となるばかりか、機械構造上、省スペース化が図れることを特徴としている。（第１の発明）。
【００２９】
次に、第２の発明について説明する。
図３は、発熱体に放熱板を設けた駆動部の図である。
【００３０】
図において、装置構成の参照符号は、第１の発明の説明における図２（ａ）、（ｂ）の参照符号と同一としている。
【００３１】
５０、５１は放熱板で、搬送モータ３０、給紙モータ４０とダンパ５２、５３の間に当該放熱板５０、５１が挟着されている。放熱板はアルミニュウム等の熱伝導性の良好な金属が好ましい。５４、５５は冷却ファンである。
【００３２】
第２の発明は、放熱板を設けることにより冷却ファン５４、５５を小型化できるか、または機構条件によっては冷却ファンを省略することもでき、コスト低減が図れることを特徴としている。
【００３３】
図４は、放熱板と回転体一体のファンを組み合わせた冷却手段の構成を示す図である。
【００３４】
第１の発明および第２の発明の冷却手段が組み合わされ、より冷却効果が得られる構成となる。
【００３５】
以上、実施の形態として自動原稿送り装置を例にあげて説明したが、回転体に一体として冷却ファンを設けたり、放熱板を設けたりする発熱体冷却手段は複写機、プリンタ等の用紙送り機構、感光体駆動機構等にも応用することも可能である。
【００３６】
【発明の効果】
用紙送りの回転体と一体に冷却ファンを設けたり、駆動用モータとダンパ間に放熱板を設けることによって、発熱体である駆動用モータ等を冷却することができ、省コスト化、省スペース化がはかれる。
【図面の簡単な説明】
【図１】自動原稿送り装置の概略構成断面図である。
【図２】自動原稿送り装置の駆動部を示す略図で、（ａ）は平面図を、（ｂ）は動力伝達側から見た図を示す。
【図３】発熱体に放熱板を設けた駆動部の図である。
【図４】放熱板と回転体一体のファンを組み合わせた冷却手段の構成を示す図である。
【符号の説明】
１　自動原稿送り装置
１１　原稿載置台
１３　原稿搬送手段
３０　搬送モータ
３１，３２，３３，３４　搬送プーリ
３６，３７，３８　冷却ファン
４０　給紙モータ
４１，４２，４３　給紙プーリ
４５，４６　冷却ファン
５０，５１　放熱板
【図１】
2004018198.tif 000003
【図２】
2004018198.tif 000004
【図３】
2004018198.tif 000005
【図４】
2004018198.tif 000006